(57)【特許請求の範囲】
【請求項１】
異なる線数で印刷された警告文字パターンと、背景パターンとが一体的に印刷されてなり、肉眼では前記警告文字パターンと前記背景パターンとの識別は不能であるが、複写機で複写すると前記警告文字パターンが肉眼で認識可能となる複写偽造防止用帳票において、帳票を複数の領域に区分けし、同一領域内の前記各パターンは同一色に設定して前記帳票を２色以上に色分けする一方、前記警告文字パターンを２つ以上の領域に位置するよう設けたことを特徴とする複写偽造防止用帳票。
【発明の詳細な説明】
【０００１】
【産業上の利用分野】
本発明は、小切手、商品券、領収書、各種証券類等の帳票を複写機で複写して偽造することを防止するための帳票に関し、特に、異なる線数で印刷された警告文字パターンと、背景パターンとが一体的に印刷されてなり、肉眼では前記警告文字パターンと前記背景パターンとの識別は不能であるが、複写機で複写すると前記警告文字パターンが肉眼で認識可能となる複写偽造防止用帳票に関する。
【０００２】
【従来の技術】
従来において、この種の複写偽造防止用帳票としては、特公昭５８−４７７０８号で開示された文書が知られている。この文書は、第１のトーン像及び第２のトーン像とともに印刷されたカムフラージュ・トーン像を有するカラー複合像を、第１のトーン像及び第２のトーン像の一方をカラー複写機で再生可能な密度、例えばスクリン線数（スクリンの単位長あたりの線や点の数、本明細書では単に線数という）が１インチ（２．５４ｃｍ）あたり６５線で、他方を再生不可能な密度、例えば線数が１インチ（２．５４ｃｍ）あたり１３０線でそれぞれ形成し、肉眼で観察するとき、前記第１のトーン像及び前記第２のトーン像の一方を他方と区別できないが、複写機により複写すると、一方のトーン像が明瞭に現出して警告マークを構成するものである。カムフラージュ・トーン像に換えて、記入欄、タイトル、罫線の組み合わせ等を用いても肉眼での識別が困難となる。
【０００３】
【発明が解決しようとする課題】
上述の特公昭５８−４７７０８号で開示された文書によれば、カムフラージュ・トーン像を設けたことにより、肉眼による第１及び第２の各トーン像の識別をほとんど不可能とすることができ、また、この識別不可能性はカムフラージュ・トーン像に換えて、記入欄、タイトル、罫線の組み合わせ等を用いた場合でも同様に得ることができるが、本発明は、この識別不可能性をより向上させた複写偽造防止用帳票を提供することを目的とする。
【０００４】
【課題を解決するための手段】
この目的を達成するために本発明の複写偽造防止用帳票は、異なる線数で印刷された警告文字パターンと、背景パターンとが一体的に印刷されてなり、肉眼では前記警告文字パターンと前記背景パターンとの識別は不能であるが、複写機で複写すると前記警告文字パターンが肉眼で認識可能となる複写偽造防止用帳票において、帳票を複数の領域に区分けし、同一領域内の前記各パターンは同一色に設定して前記帳票を２色以上に色分けする一方、前記警告文字パターンを２つ以上の領域に位置するよう設けたものである。
【０００５】
【作用】
帳票を複数の領域に区分けし、同一領域内の前記各パターンは同一色に設定して帳票を２色以上に色分けする一方、前記警告文字パターンを２つ以上の領域に位置するよう設けたので、前記警告文字パターンの肉眼による認識がより困難なものとなる。
【０００６】
【実施例】
以下、本発明の好適な実施例を添付図面に基づいて詳細に説明する。ここにおいて、図１は第１実施例の各パターンを概略的に示す平面図、図２は第２実施例の各パターンを概略的に示す平面図、図３は第３実施例を概略的に示す平面図である。
【０００７】
まず、第１実施例について説明すると、図１に示すように、各種証券類等の帳票１の表面は第１領域１ａ、第２領域１ｂ、第３領域１ｃの３つの領域に区分けされ、第１領域１ａと第３領域１ｃが草色，第２領域１ｂがピンク色の２色に色分けされている。前記各領域１ａ，１ｂ，１ｃに跨がるように、「コピー」の文字が警告文字パターン２として印刷されており、この警告文字パターン２は、前記第１領域１ａでは製版状態において線数６５線、濃度１６％の草色の網点で印刷され、前記第２領域１ｂでは製版状態において線数６５線、濃度２０％のピンク色の網点で印刷され、前記第３領域１ｃでは前記第１領域１ａと同じく製版状態において線数６５線、濃度１６％の草色の網点で印刷されている。
【０００８】
また、この警告文字パターン２の周囲には、これと重なり合わないように、前記警告文字パターン２よりは細かい網点からなる背景パターン３が、前記第１領域１ａでは製版状態において線数１５０線、濃度１６％の草色の網点で印刷され、前記第２領域１ｂでは製版状態において線数１５０線、濃度２０％のピンク色の網点で印刷され、前記第３領域１ｃでは前記第１領域１ａと同じく製版状態において線数１５０線、濃度１６％の草色の網点で印刷されている。さらに、これら前記警告文字パターン２と前記背景パターン３と重ならないようにして一体的に、製版状態で前記警告文字パターン２と各領域１ａ，１ｂ，１ｃ毎に周知の技術であるカムフラージュパターン４が各領域１ａ，１ｂ，１ｃに対応する色の網点で印刷されている。なお、図１では便宜上、警告文字パターン２を表示するとともに、背景パターン３を表示しているが、これら両パターン２，３は実際には肉眼での視認が不可能なものである。
【０００９】
本実施例は以上のように構成したので、極めて注意深く観察する者であっても、警告文字パターン２を視認することは不可能である。また、図示してはいないが、帳票１上には通常の帳票と同様に各種の印刷が可能である。そして、この帳票１をコピー機で複写すると、前記警告文字パターン２が現出して、視認可能となり、複写物であることが一目瞭然となる。
【００１０】
次に、図２に基づいて第２実施例を説明する。本実施例の帳票１１が第１実施例の帳票１と相違するのは、帳票１１が５つの領域１１ａ，１１ｂ，１１ｃ，１１ｄ，１１ｅに区分けされ、第１、第３、第５の各領域１１ａ，１１ｃ，１１ｅは草色、第２、第４の各領域１１ｂ，１１ｄはピンク色に色分けされ、「コピー」の文字が警告文字パターン１２として、第２〜第４の各領域１１ｂ，１１ｃ，１１ｄに一文字ずつ位置している点と、警告文字パターン１２、背景パターン１３の線数及び濃度である。
【００１１】
すなわち、警告文字パターン１２は、第２領域１１ａと第４領域１１ｄでは製版状態において線数１５０線、濃度２０％のピンク色の網点で印刷され、第３領域１１ｃでは製版状態において線数１５０線、濃度１６％の草色の網点で印刷されている。また、この警告文字パターン１２の周囲に、これと重なり合わないように印刷された背景パターン１３は、前記第１、第３、第５の各領域１１ａ，１１ｃ，１１ｅでは製版状態において線数６５線、濃度１６％の草色の網点で印刷され、前記第２、第４の各領域１１ｂ，１１ｄでは製版状態において線数６５線、濃度２０％のピンク色の網点で印刷されている。さらに、これら前記警告文字パターン１２及び前記背景パターン１３と重ならないようにして一体的に印刷されたカムフラージュパターン１４は、周知の技術であって前記警告文字パターン１２と各領域１１ａ，１１ｂ，１１ｃ，１１ｄ，１１ｅ毎にそれぞれに対応する色の網点で印刷されている。
【００１２】
本実施例においても第１実施例と同様、極めて注意深く観察する者であっても、警告文字パターン１２を視認することは不可能であり、図示してはいないが、帳票１１上には通常の帳票と同様に各種の印刷が可能であるとともに、この帳票１１をコピー機で複写すると、前記警告文字パターン１２が現出して、視認可能となり、複写物であることが一目瞭然となる。
【００１３】
続いて、図３に基づき第３実施例を説明する。本実施例は第１実施例の変化例であり、第１実施例と同様に構成した帳票２１が、折り兼切り用ミシン目２２を介して連接され、また、両側には切り用ミシン目２３ａ，２３ｂを境として、移送孔２４ａ，２４ｂを等間隔に穿設したマージナル部２５ａ，２５ｂが設けられている。前記帳票２１は、一つの版で４枚の帳票を印刷する、いわゆる四面付けで印刷される帳票である。各パターン２，３，４の構成も同様であるから、相違する構成及び作用についてのみ説明する。
【００１４】
第１枚目の帳票２１の最初と２番目の各移送孔２４ａ，２４ｂの周囲には、印刷位置合わせ用のいわゆるトンボ２６ａ，２６ｂ，２７ａ，２７ｂが各一対ずつ設けられ、また、これら各トンボ２６ａ，２６ｂ，２７ａ，２７ｂの外側に、用紙の左右位置合わせ用の各トンボ２８ａ，２８ｂ，２９ａ，２９ｂが同じく各一対ずつ設けられている。前記各トンボ２６ａ，２６ｂ，２８ａ，２８ｂは草色の版用であり、また、前記各トンボ２７ａ，２７ｂ，２９ａ，２９ｂはピンク色の版用である。前記各トンボ２６ａ，２６ｂ，２７ａ，２７ｂは移送孔２４ａ，２４ｂの周囲に環状の印刷部が均一幅で形成され、上下に伸びる線が切り用ミシン目２３ａ，２３ｂと平行に形成されていれば、正確な位置に印刷されたことを示すものである。また、前記各トンボ２８ａ，２８ｂ，２９ａ，２９ｂは左右のものが同一幅に印刷されていれば、用紙が左右方向に関して正確な位置にあることを示すもので、位置ずれが生ずると、その幅が同一でなくなり、幅の広い方に用紙がずれていることを示す。
【００１５】
また、第２枚目の帳票２１のマージナル部２５ａには、インキの濃度を確認するための四角形状にベタ印刷されたインキ濃度確認部３０，３１が設けられ、インキ濃度確認部３０が草色のインキ用であり、インキ濃度確認部３１がピンク色のインキ用である。同じ帳票２１のマージナル部２５ｂには、草色の版に関する警告文字パターン２と背景パターン３との印刷状態を視認してチェックするための３つの四角形状の印刷チェック部３２，３３，３４が設けられている。真ん中に位置する印刷チェック部３３は、濃度の中庸を示すもので、製版状態で草色の版における警告文字パターン２と同一の線数６５線、濃度１６％の草色の網点からなる警告文字対応部３３ａと、同じく製版状態で草色の版における背景パターン３と同一の線数１５０線、濃度１６％の草色の網点からなる背景対応部３３ｂとからなる。上に位置する印刷チェック部３２は、濃度の上限を示すもので、製版状態で線数６５線、濃度１８％の草色の網点からなる警告文字対応部３２ａと、同じく製版状態で線数１５０線、濃度１８％の草色の網点からなる背景対応部３２ｂとからなる。また、下に位置する印刷チェック部３４は、濃度の下限を示すもので、製版状態で線数６５線、濃度１４％の草色の網点からなる警告文字対応部３４ａと、同じく製版状態で線数１５０線、濃度１４％の草色の網点からなる背景対応部３４ｂとからなる。
【００１６】
さらに、第３枚目の帳票２１のマージナル部２５ｂには、ピンク色の版に関する警告文字パターン２と背景パターン３との印刷状態を視認してチェックするための３つの四角形状の印刷チェック部３５，３６，３７が設けられている。真ん中に位置する印刷チェック部３６は、濃度の中庸を示すもので、製版状態でピンク色の版における警告文字パターン２と同一の線数６５線、濃度２０％の草色の網点からなる警告文字対応部３６ａと、同じく製版状態でピンク色の版における背景パターン３と同一の線数１５０線、濃度２０％のピンク色の網点からなる背景対応部３６ｂとからなる。上に位置する印刷チェック部３５は、濃度の上限を示すもので、製版状態で線数６５線、濃度２２％のピンク色の網点からなる警告文字対応部３４ａと、同じく製版状態で線数１５０線、濃度２２％のピンク色の網点からなる背景対応部３４ｂとからなる。また、下に位置する印刷チェック部３７は、濃度の下限を示すもので、製版状態で線数６５線、濃度１８％のピンク色の網点からなる警告文字対応部３７ａと、同じく製版状態で線数１５０線、濃度１８％のピンク色の網点からなる背景対応部３７ｂとからなる。
【００１７】
本実施例は以上のように構成したので、極めて注意深く観察する者であっても、警告文字パターン２を視認することは不可能である一方、各印刷チェック部３２，３３，３４，３５，３６，３７を観察することにより、カムフラージュパターン４によってマスクされた警告文字パターン２と背景パターン３の印刷状態を視認し、肉眼により両パターン２、３の識別が可能か否かの許容領域内に収まっているかを、濃度の上限、中庸、下限の三段階において各色別に判断し、チェックすることができる。この印刷状態のチェックをインキ濃度の各色別のチェックとともに行ったうえ、マージナル部２５ａ，２５ｂを切断除去して帳票２１から分離することができるので、通常の帳票と同様の構成になり、前記各印刷チェック部３２，３３，３４，３５，３６，３７による視覚的な違和感が生じない。また、各トンボ２６ａ，２６ｂ，２７ａ，２７ｂ，２８ａ，２８ｂ，２９ａ，２９ｂを設けたことにより、印刷位置及び用紙位置の確認が、容易かつ確実にできるという利点がある。
【００１８】
なお、本発明は上述した各実施例に限定されるものではなく、例えば、区分けする領域の数は複数であればよく、また、色分けも草色とピンク色の２色に限らず、他の２色と変えたり、３色以上に色分けする等種々変更可能である。さらに、各パターン２，１２，３，１３，４，１４は、網点で構成するほか、線で構成してもよいものである。さらにまた、警告文字パターン２，１２と背景パターン３，１３の濃度を異なるものとしてもよい。またさらに、線数の組み合わせが、１５０線と６５線に限られないことはもちろんである。また、各トンボ２６ａ，２６ｂ，２７ａ，２７ｂ，２８ａ，２８ｂ、インキ濃度確認部３０，３１及び印刷チェック部３２，３３，３４，３５，３６，３７は、版の同一面付け内に各１箇所設ければよいが、これらの全部または一部を設けなくてもよい。
【００１９】
【発明の効果】
以上説明したところで明らかなように、本発明によれば、異なる線数で印刷された警告文字パターンと、背景パターンとを一体的に印刷して、肉眼では前記警告文字パターンと前記背景パターンとの識別はほとんど不可能であるが、複写機で複写すると前記警告文字パターンが肉眼で認識可能となるよう構成したので、複写物は一目瞭然となるから複写による偽造を防ぐことができるほか、帳票を複数の領域に区分けし、同一領域内の前記各パターンは同一色に設定して帳票を２色以上に色分けする一方、前記警告文字パターンを２つ以上の領域に位置するよう設けたので、前記警告文字パターンの肉眼による認識の不可能性がより向上し、さらには、各色にわたって警告文字パターンが設けられているので、帳票の色分けが複雑になっても何ら支障を来すことがないという効果を奏する。
【図面の簡単な説明】
【図１】  第１実施例の各パターンを概略的に示す平面図。
【図２】  第２実施例の各パターンを概略的に示す平面図。
【図３】  第３実施例を概略的に示す平面図。
【符号の説明】
１，１１，２１      帳票
１ａ，１ｂ，１ｃ，１１ａ，１１ｂ，１１ｃ，１１ｄ，１１ｅ      領域
２，１２      警告文字パターン
３，１３      背景パターン
４，１４      カムフラージュパターン
２６ａ，２６ｂ，２７ａ，２７ｂ，２８ａ，２８ｂ，２９ａ，２９ｂ      トンボ
３２，３３，３４，３５，３６，３７      印刷チェック部
【図１】
0003778954.tif 000002
【図２】
0003778954.tif 000003
【図３】
0003778954.tif 000004